【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
無線通信装置であって、
第１の無線接続技術（ＲＡＴ）モデムであって、
第１のアンテナから第１の複数の無線周波数信号を受信し、前記第１の複数の無線周波数信号を処理するように構成された前記第１のＲＡＴモデムの第１の部分を含む第１のチップと、
前記第１の複数の無線周波数信号のうちの少なくとも１つを第１のＲＡＴベースバンド信号へダウンコンバートするように構成された第１のＲＡＴトランシーバを含む前記第１のＲＡＴモデムの第２の部分を含む、前記第１のチップからある距離を物理的に離されている第２のチップと、
を備える、ＲＡＴモデムと、
ここにおいて、前記無線通信装置は、
第２のアンテナからの第２の複数の無線周波数信号を第２のＲＡＴベースバンド信号へダウンコンバートするように構成された第２のＲＡＴトランシーバを含む第２のＲＡＴモデムと、
前記第１のＲＡＴモデムの前記第１の部分を用いて処理された前記第１の複数の無線周波数信号を結合するための手段と、
前記第１のＲＡＴモデムの前記第２の部分に前記結合された第１の複数の無線周波数信号を送信するための手段と、前記第２の部分において受信されるとき、前記結合された第１の複数の無線周波数信号は、ベースバンド信号へコンバートされる、
前記第１のＲＡＴモデムおよび前記第２のＲＡＴモデムの間の干渉を除去するための手段と、
をさらに備える、無線通信装置。
【請求項２】
前記第２のＲＡＴモデムに前記結合された第１の複数の無線周波数信号を送信するための手段をさらに備える、請求項１に記載の無線通信装置。
【請求項３】
前記第１のＲＡＴモデムの前記第１の部分は、ＧＰＳアンテナ、電力増幅器、表面弾性波フィルタ、および、低ノイズ増幅器のうちの少なくとも１つを含む、請求項１に記載の無線通信装置。
【請求項４】
前記第１のＲＡＴの前記第１のチップおよび前記第２のチップは、１インチ、１．５インチ、２インチ、２.５インチ、３インチ、３.５インチ、４インチ、４.５インチ、または５インチの距離を物理的に離されている、請求項１に記載の無線通信装置。
【請求項５】
前記第１のＲＡＴモデムの前記第２の部分は、低ノイズ増幅器、ミキサ、シンセサイザ、フィルタ、電圧制御発振器および局部発振器分配器のうちの少なくとも１つを含む、請求項１に記載の無線通信装置。
【請求項６】
前記第１のチップは、前記結合するための手段を含む、請求項１に記載の無線通信装置。
【請求項７】
前記結合するための手段は、結合回路を用いて個々の周波数に前記複数の信号をフィルタリングするように構成される、請求項６に記載の無線通信装置。
【請求項８】
前記個々の周波数は、２．４ＧＨｚ、５ＧＨｚおよびグローバル測位システム周波数を含む、請求項７に記載の無線通信装置。
【請求項９】
前記結合するための手段は、ダイプレクサおよびトライプレクサのうちの少なくとも１つを含む、請求項７に記載の無線通信装置。
【請求項１０】
無線通信装置において実施される方法であって、前記方法は、
第１の無線接続技術（ＲＡＴ）モデムで第１の複数の無線周波数信号を受信し、および第１のチップ上に含まれる前記第１のＲＡＴモデムの第１の部分を用いて前記第１の複数の無線周波数信号を処理することと、
前記第１のＲＡＴモデムの前記第１の部分を用いて処理された前記第１の複数の無線周波数信号を結合することと、
前記第１の複数の無線周波数信号のうちの少なくとも１つを第１のＲＡＴベースバンド信号へダウンコンバートするように構成された第１のＲＡＴトランシーバを含む前記第１のＲＡＴモデムの第２の部分を含む、前記第１のチップからある距離を物理的に離される第２のチップに前記結合された第１の複数の無線周波数信号で送信することと、前記第２の部分において受信されるとき、前記結合された第１の複数の無線周波数信号をベースバンド信号へコンバートすることと、
第２のアンテナからの第２の複数の無線周波数信号を第２のＲＡＴベースバンド信号へダウンコンバートするように構成されたトランシーバを含む第２のＲＡＴモデムにおいて第２の複数の信号を受信することと、および、
前記第１のＲＡＴモデムおよび前記第２のＲＡＴモデムの間の干渉を除去することと、
を備える、方法。
【請求項１１】
前記第２のＲＡＴモデムに前記結合された第１の複数の無線周波数信号を送信することをさらに備える、請求項１０に記載の無線通信装置。
【請求項１２】
前記第１のＲＡＴモデムの前記第１の部分は、ＧＰＳアンテナ、電力増幅器、表面弾性波フィルタ、および、低ノイズ増幅器のうちの少なくとも１つを含み、ここにおいて、前記第１のＲＡＴモデムの前記第２の部分は、低ノイズ増幅器、ミキサ、シンセサイザ、フィルタ、電圧制御発振器および局部発振器分配器のうちの少なくとも１つを含む、請求項１０に記載の無線通信装置。
【請求項１３】
前記第１のチップは、前記第１のＲＡＴモデムの前記第１の部分を用いて処理された前記第１の複数の信号を結合するように構成された結合回路を含む、請求項１０に記載の方法。
【請求項１４】
前記結合回路を用いて個々の周波数に前記複数の信号をフィルタリングすることをさらに備える、請求項１６に記載の方法。
【請求項１５】
請求項１０から１３のうちの１つの方法のすべてのステップを実施するようにコンピュータ実行可能であるプログラム命令を備えるコンピュータプログラム。
【手続補正２】
【補正対象書類名】明細書
【補正対象項目名】００８９
【補正方法】変更
【補正の内容】
【００８９】
[0096]同様に、動作は特定の順番で図面に示されているが、このことが、こういった動作が図示された特定の順番または時系列順で行われる、あるいは全ての例示された動作が所望の結果を実現するように行われることを要求していると理解されるべきではない。ある環境において、マルチタスクおよび並列処理は有益である。さらに、上で説明された実施例における様々なシステム構成部品の分類は、全ての実施例においてこういった分類を要されると理解されるべきではなく、および記載されたプログラム構成部品およびシステムは一般的に単一ソフトウェアプロダクト共に組み込まれるか、または複数のソフトウェアプロダクトに梱包される得ることが理解されるべきである。さらに、他の実施例は下記の請求項の範囲内である。いくつかの場合において、請求項内に列挙された動作は異なる順序で行われ得、やはり所望の結果を実現する。
以下に、本願出願の当初の特許請求の範囲に記載された発明を付記する。
［Ｃ１］
複数の信号を処理するように構成された無線ローカルエリアネットワークモデムの第１の部分を含む第１のチップと、および、
前記無線ローカルエリアネットワークモデムの第２の部分を含む第２のチップと、
を含む前記無線ローカルエリアネットワークモデムと、
広域ネットワークモデムと、
前記無線ローカルエリアネットワークモデムの前記第１の部分によって処理された前記複数の信号を結合するように構成された結合回路と、
前記第２のチップおよび前記広域ネットワークモデムに前記結合された複数の信号を送信するように構成された送信線と、および、
前記無線ローカルエリアネットワークモデムおよび前記広域ネットワークモデムの間の干渉を除去するように構成された干渉除去サーキトリを含むデータモデムと、
を備える、無線通信装置。
［Ｃ２］
前記無線ローカルエリアネットワークモデムの前記第１の部分は、アンテナ、電力増幅器、表面弾性波フィルタ、および、低ノイズ増幅器のうちの少なくとも１つを含む、Ｃ１に記載の無線通信装置。
［Ｃ３］
前記送信線によって送信された前記結合された複数の信号は、ベースバンド信号に変換されていない無線周波数信号を含む、Ｃ２に記載の無線通信装置。
［Ｃ４］
前記無線ローカルエリアネットワークの前記第１のチップおよび前記第２のチップは、距離によって物理的に分離される、Ｃ１に記載の無線通信装置。
［Ｃ５］
前記無線ローカルエリアネットワークモデムの前記第２の部分は、低ノイズ増幅器、ミキサ、シンセサイザ、フィルタ、電圧制御発振器および局部発振器分配器のうちの少なくとも１つを含む、Ｃ１に記載の無線通信装置。
［Ｃ６］
前記第１のチップは、前記結合回路を含む、Ｃ１に記載の無線通信装置。
［Ｃ７］
前記結合回路は、個々の周波数に前記複数の信号をフィルタリングするように構成される、Ｃ６に記載の無線通信装置。
［Ｃ８］
前記個々の周波数は、２．４ＧＨｚ、５ＧＨｚおよびグローバル測位システム周波数を含む、Ｃ７に記載の無線通信装置。
［Ｃ９］
前記結合回路は、ダイプレクサおよびトライプレクサのうちの少なくとも１つを含む、Ｃ７に記載の無線通信装置。
［Ｃ１０］
前記データモデムは、無線ローカルエリアネットワークベースバンドプロセッサおよび広域ネットワークベースバンドプロセッサをさらに含む、Ｃ１に記載の無線通信装置。
［Ｃ１１］
無線通信装置において実施される方法であって、
前記方法は、
無線ローカルエリアネットワークモデムで複数の信号を受信し、および第１のチップ上に含まれる前記無線ローカルエリアネットワークモデムの第１の部分を用いて前記複数の信号を処理することと、
前記無線ローカルエリアネットワークモデムの前記第１の部分を用いて処理された前記複数の信号を結合することと、
前記無線ローカルエリアネットワークモデムの第２の部分を含む第２のチップに送信線を介して前記結合された複数の信号のうちの少なくとも１つを送信することと、
広域ネットワークモデムに前記送信線を介して前記結合された複数の信号のうちの少なくとも第２の１つを送信することと、および、
前記無線ローカルエリアネットワークモデムおよび前記広域ネットワークモデムの間の干渉を除去することと、
を備える、
方法。
［Ｃ１２］
前記無線ローカルエリアネットワークモデムの前記第１の部分は、アンテナ、電力増幅器、表面弾性波フィルタ、および、低ノイズ増幅器のうちの少なくとも１つを含む、Ｃ１１に記載の方法。
［Ｃ１３］
前記送信線を介して送信された前記結合された複数の信号は、ベースバンド信号に変換されていない無線周波数信号を含む、Ｃ１２に記載の方法。
［Ｃ１４］
前記無線ローカルエリアネットワークの前記第１のチップおよび前記第２のチップは、距離によって物理的に分離される、Ｃ１１に記載の方法。
［Ｃ１５］
前記無線ローカルエリアネットワークモデムの前記第２の部分は、低ノイズ増幅器、ミキサ、シンセサイザ、フィルタ、電圧制御発振器および局部発振器分配器のうちの少なくとも１つを含む、Ｃ１１に記載の方法。
［Ｃ１６］
前記第１のチップは、前記無線ローカルエリアネットワークモデムの前記第１の部分を用いて処理された前記複数の信号を結合するように構成された結合回路を含む、Ｃ１１に記載の方法。
［Ｃ１７］
前記結合回路を用いて個々の周波数に前記複数の信号をフィルタリングすることをさらに備える、Ｃ１６に記載の方法。
［Ｃ１８］
前記個々の周波数は、２．４ＧＨｚ、５ＧＨｚおよびグローバル測位システム周波数を含む、Ｃ１７に記載の方法。
［Ｃ１９］
前記結合回路は、ダイプレクサおよびトライプレクサのうちの少なくとも１つを含む、Ｃ１７に記載の方法。
［Ｃ２０］
データモデムは、前記無線ローカルエリアネットワークモデムおよび前記広域ネットワークモデムの間の前記干渉を除去するように構成され、前記データモデムは、無線ローカルエリアネットワークベースバンドプロセッサおよび広域ネットワークベースバンドプロセッサを含む、Ｃ１１に記載の方法。
［Ｃ２１］
複数の信号を処理するように構成された無線ローカルエリアネットワークモデムの第１の部分を含む第１のチップと、および、
前記無線ローカルエリアネットワークモデムの第２の部分を含む第２のチップと、
を含む前記無線ローカルエリアネットワークモデムと、
広域ネットワークモデムと、
前記無線ローカルエリアネットワークモデムの前記第１の部分を用いて処理された前記複数の信号を結合するための手段と、
前記無線ローカルエリアネットワークモデムの第２の部分を含む第２のチップに前記結合された複数の信号のうちの少なくとも１つと、および、
広域ネットワークモデムに前記結合された複数の信号のうちの少なくとも第２の１つと、
を送信するための手段と、および、
前記無線ローカルエリアネットワークモデムおよび前記広域ネットワークモデムの間の干渉を除去するための手段と、
を備える、無線通信装置。
［Ｃ２２］
前記無線ローカルエリアネットワークモデムの前記第１の部分は、アンテナ、電力増幅器、表面弾性波フィルタ、および、低ノイズ増幅器のうちの少なくとも１つを含む、Ｃ２１に記載の無線通信装置。
［Ｃ２３］
前記送信線を介して送信された前記結合された複数の信号は、ベースバンド信号に変換されていない無線周波数信号を含む、Ｃ２２に記載の無線通信装置。
［Ｃ２４］
前記無線ローカルエリアネットワークの前記第１のチップおよび前記第２のチップは、距離によって物理的に分離される、Ｃ２１に記載の無線通信装置。
［Ｃ２５］
前記無線ローカルエリアネットワークモデムの前記第２の部分は、低ノイズ増幅器、ミキサ、シンセサイザ、フィルタ、電圧制御発振器および局部発振器分配器のうちの少なくとも１つを含む、Ｃ２１に記載の無線通信装置。
［Ｃ２６］
前記第１のチップは、前記結合するための手段を含む、Ｃ２１に記載の無線通信装置。
［Ｃ２７］
前記結合するための手段は、前記結合回路を用いて個々の周波数に前記複数の信号をフィルタリングするように構成される、Ｃ２６に記載の無線通信装置。
［Ｃ２８］
前記個々の周波数は、２．４ＧＨｚ、５ＧＨｚおよびグローバル測位システム周波数を含む、Ｃ２７に記載の無線通信装置。
［Ｃ２９］
前記結合するための手段は、ダイプレクサおよびトライプレクサのうちの少なくとも１つを含む、Ｃ２７に記載の無線通信装置。
［Ｃ３０］
コンピュータによって実行される時、無線ローカルエリアネットワークモデムにおいて複数の信号を受信することと、および、第１のチップ上に含まれた前記無線ローカルエリアネットワークモデムの第１の部分を用いて前記複数の信号を処理することとを、前記コンピュータに行わせるコードと、
コンピュータによって実行される時、前記無線ローカルエリアネットワークモデムの前記第１の部分を用いて処理された前記複数の信号を結合することを、前記コンピュータに行わせるコードと、
コンピュータによって実行される時、前記無線ローカルエリアネットワークモデムの第２の部分を含む第２のチップに送信線を介して前記結合された複数の信号のうちの少なくとも１つを送信することを、前記コンピュータに行わせるコードと、
コンピュータによって実行される時、広域ネットワークモデムに前記送信線を介して前記結合された複数の信号のうちの少なくとも第２の１つを送信することを、前記コンピュータに行わせるコードと、および、
コンピュータによって実行される時、前記無線ローカルエリアネットワークモデムおよび前記広域ネットワークモデムの間の干渉を除去することを、前記コンピュータに行わせるコードと、
を備える、コンピュータ可読媒体、
を備える、コンピュータ・プログラム・プロダクト。
［Ｃ３１］
前記無線ローカルエリアネットワークモデムの前記第１の部分は、アンテナ、電力増幅器、表面弾性波フィルタ、および、低ノイズ増幅器のうちの少なくとも１つを含む、Ｃ３０に記載のコンピュータ・プログラム・プロダクト。
［Ｃ３２］
前記送信線を介して送信された前記結合された複数の信号は、ベースバンド信号に変換されていない無線周波数信号を含む、Ｃ３１に記載のコンピュータ・プログラム・プロダクト。
［Ｃ３３］
前記無線ローカルエリアネットワークの前記第１のチップおよび前記第２のチップは、距離によって物理的に分離される、Ｃ３０に記載のコンピュータ・プログラム・プロダクト。
［Ｃ３４］
前記無線ローカルエリアネットワークモデムの前記第２の部分は、低ノイズ増幅器、ミキサ、シンセサイザ、フィルタ、電圧制御発振器および局部発振器分配器のうちの少なくとも１つを含む、Ｃ３０に記載のコンピュータ・プログラム・プロダクト。
［Ｃ３５］
前記第１のチップは、前記無線ローカルエリアネットワークモデムの前記第１の部分を用いて処理された前記複数の信号を結合するように構成された結合回路を含む、Ｃ３０に記載のコンピュータ・プログラム・プロダクト。
［Ｃ３６］
前記コンピュータ可読媒体は、前記コンピュータによって実行される時、前記結合回路を用いて個々の周波数に前記複数の信号をフィルタリングすることを、前記コンピュータに行わせるコードをさらに備える、Ｃ３５に記載のコンピュータ・プログラム・プロダクト。
［Ｃ３７］
前記個々の周波数は、２．４ＧＨｚ、５ＧＨｚおよびグローバル測位システム周波数を含む、Ｃ３６に記載のコンピュータ・プログラム・プロダクト。
［Ｃ３８］
前記結合回路は、ダイプレクサおよびトライプレクサのうちの少なくとも１つを含む、Ｃ３６に記載のコンピュータ・プログラム・プロダクト。